(57)【要約】【課題】発光素子を実装する電飾基板を演出役物の内部に設けた場合において、演出役物の発光素子により発光する部分のデザイン上の自由度の向上と演出役物のコンパクト化の両立を容易にするとともに、演出役物の組み立ての際の作業性を向上する。【解決手段】前側本体フレーム６０１には、電飾用フレキシブル基板７０１の延出部７０４を湾曲させ前記発光素子実装部７０３の前記複数のカラー発光ダイオード７１３を実装する基板面７１０に対して延出部７０４のコネクタメス部７２１を実装する基板面７１０を略逆方向に向けて電飾用フレキシブル基板７０１を取り付けているので、発光素子を実装する電飾基板としての電飾用フレキシブル基板７０１を演出役物の内部に設けた場合において、演出役物の発光素子により発光する部分のデザイン上の自由度の向上と演出役物のコンパクト化の両立を容易にするとともに、演出役物の組み立ての際の作業性を向上することができる。【選択図】図１０
2010259708.tif 000002
【特許請求の範囲】
【請求項１】
遊技機に設けられ演出用の照明を行う演出役物であって、
一方の基板面に照明光を出射する発光素子を実装する発光素子実装部を有するとともに、当該発光素子実装部から延出する延出部を有し、前記発光素子実装部の発光素子を実装する面と同じ面上にある前記延出部の基板面にコネクタメス部を実装する電飾用フレキシブル基板と、
前記延出部を湾曲させ前記発光素子実装部の前記発光素子を実装する基板面に対して前記延出部の前記コネクタメス部を実装する基板面を別方向に向けて電飾用フレキシブル基板を取り付ける演出役物本体とを備えることを特徴とする遊技機の演出役物。
【請求項２】
遊技機に設けられ演出用の照明を行う演出役物であって、
一方の基板面に照明光を出射する発光素子を実装する発光素子実装部を有するとともに、当該発光素子実装部から延出する延出部を有し、前記発光素子実装部の発光素子を実装する面と逆の面上にある前記延出部の基板面にコネクタメス部を実装する電飾用フレキシブル基板と、
前記延出部を湾曲させ前記発光素子実装部の前記発光素子を実装する基板面に対して前記延出部の前記コネクタメス部を実装する基板面を別方向に向けて電飾用フレキシブル基板を取り付ける演出役物本体とを備えることを特徴とする遊技機の演出役物。
【発明の詳細な説明】
【技術分野】
【０００１】
本発明は遊技機に設けられ演出用の照明を行う遊技機の演出役物に関する。
【背景技術】
【０００２】
従来、パチンコ機と呼ばれる遊技機は、遊技球が球送り装置により１球ずつ発射レール上に送り出され、送り出された遊技球が打球発射装置に打ち出されて遊技盤の案内レールの外レールに沿って遊技領域に導かれ、この遊技領域に導かれた遊技球が入賞口に入賞することで所定数の賞球を払い出すようになっている。
【０００３】
近年実用化されたパチンコ機は、例えば特許文献１に記載のように、遊技領域が形成された遊技盤と、前記遊技領域のほぼ中央に配置されるセンター役物と、前記センター役物の下方に配置される始動入球装置と、前記センター役物の背面側に配置され、前記始動入球装置に遊技球が受け入れられることで、図柄の変動表示を行う可変表示装置を備えている。このようなセンター役物には、一般的に発光素子を実装する電飾基板により演出照明が行える演出役物が設けられている。
【先行技術文献】
【特許文献】
【０００４】
【特許文献１】特開２００９−４５４９４号公報（段落００１１〜００１４、図１、図２）
【発明の概要】
【発明が解決しようとする課題】
【０００５】
上記のように従来のパチンコ機においては、センター役物の演出役物に複雑な電飾構造を採用して当該演出役物の発光部を発光させる場合、発光素子を実装する電飾基板を演出役物の内部に設けることになるが、このような電飾基板は、コネクタメス部を実装した位置の裏表両側でランブを実装することは構造上不可能なので、発光素子を実装した位置とは別の位置にコネクタメス部を実装することになり、この位置では発光を行えず、演出役物の発光部にデザイン上の制約を設けるか、または、コネクタメス部を実装する領域を演出役物の発光部を設けた領域から突出する位置に設ける必要が生じるため、演出役物の発光部にデザイン上の自由度の向上と演出役物のコンパクト化の両立が困難であった。また、演出役物の内部でコネクタメス部と接続するハーネスの配索構造が複雑になり、演出役物の組み立ての際の作業性を低下させていた。このような問題は、演出役物に複数の発光素子を設けて複雑な発光パターンで発光させる場合たり、発光素子にカラー発光ダイオードを用いた場合に、ハーネスのコードの本数が多数になるため、顕著であった。
【０００６】
本発明は、上記の問題に鑑み、発光素子を実装する電飾基板を演出役物の内部に設けた場合において、演出役物の発光素子により発光する部分のデザイン上の自由度の向上と演出役物のコンパクト化の両立を容易にするとともに、演出役物の組み立ての際の作業性を向上することができる遊技機の演出役物を提供することを目的とする。
【課題を解決するための手段】
【０００７】
請求項１に記載の遊技機は、遊技機に設けられ演出用の照明を行う演出役物であって、一方の基板面に照明光を出射する発光素子を実装する発光素子実装部を有するとともに、当該発光素子実装部から延出する延出部を有し、前記発光素子実装部の発光素子を実装する面と同じ面上にある前記延出部の一方の基板面にコネクタメス部を実装する電飾用フレキシブル基板と、前記延出部を湾曲させ前記発光素子実装部の前記発光素子を実装する基板面に対して前記延出部の前記コネクタメス部を実装する基板面を別方向に向けて電飾用フレキシブル基板を取り付ける演出役物本体とを備えることを特徴とする。
請求項２に記載の遊技機は、遊技機に設けられ演出用の照明を行う演出役物であって、一方の基板面に照明光を出射する発光素子を実装する発光素子実装部を有するとともに、当該発光素子実装部から延出する延出部を有し、前記発光素子実装部の発光素子を実装する面とは逆の面上にある前記延出部の基板面にコネクタメス部を実装する電飾用フレキシブル基板と、前記延出部を湾曲させ前記発光素子実装部の前記発光素子を実装する基板面に対して前記延出部の前記コネクタメス部を実装する基板面を別方向に向けて電飾用フレキシブル基板を取り付ける演出役物本体とを備えることを特徴とする。
【０００８】
いずれの場合にも、演出役物本体には、電飾用フレキシブル基板の前記延出部を前記発光素子実装部の前記発光素子を実装する基板面に対して湾曲させて電飾用フレキシブル基板を取り付けている。
【０００９】
従来の演出役物に複雑な電飾構造を採用する場合、発光素子を実装する電飾基板は、発光素子を実装した位置とは別の位置にコネクタメス部を実装することになり、演出役物の発光部にデザイン上の制約を設けるか、または、コネクタメス部を実装する領域を演出役物の発光部を設けた領域から突出する位置に設ける必要が生じるため、演出役物の発光部にデザイン上の自由度の向上と演出役物のコンパクト化の両立が困難であった。また、演出役物の内部でコネクタメス部と接続するハーネスの配索構造が複雑になり、演出役物の組み立ての際の作業性を低下させていた。
これに対し、本発明では、前記演出役物本体には、電飾用フレキシブル基板の前記延出部を前記発光素子実装部の前記発光素子を実装する基板面に対して湾曲させて電飾用フレキシブル基板を取り付けているので、演出役物の発光素子により発光する部分のデザイン上の自由度の向上と演出役物のコンパクト化を両立させるとともに、演出役物の内部で電飾用フレキシブル基板のコネクタメス部と接続するハーネスを配索させる量を減らすことができ、演出役物の組み立ての際の作業性を向上することができる。
【発明の効果】
【００１０】
本発明によれば、発光素子を実装する電飾基板として電飾用フレキシブル基板を演出役物の内部に設けた場合において、演出役物の発光素子により発光する部分のデザイン上の自由度の向上と演出役物のコンパクト化を両立させるとともに、演出役物の組み立ての際の作業性を向上することができる。
【図面の簡単な説明】
【００１１】
【図１】本発明に係る第１の実施形態の遊技機の構成例を示した正面図である。
【図２】本発明に係る第１の実施形態の制御手段のブロック図である。
【図３】本発明に係る第１の実施形態の遊技盤を示す正面図である。
【図４】本発明に係る第１の実施形態の遊技盤を示す斜視図である。
【図５】本発明に係る第１の実施形態の演出役物の斜視図である。
【図６】本発明に係る第１の実施形態の演出役物の前側部を示す分解斜視図である。
【図７】本発明に係る第１の実施形態の電飾用フレキシブル基板を展張した状態を示す平面図である。
【図８】本発明に係る第１の実施形態の前側本体フレームに電飾用フレキシブル基板を取り付けた状態を示す斜視図である。
【図９】本発明に係る第１の実施形態の前側本体フレームに電飾用フレキシブル基板を取り付けた状態のコネクタメス部及びその周辺部の背面側から見た斜視図である。
【図１０】本発明に係る第１の実施形態の前側本体フレームに電飾用フレキシブル基板を取り付けた状態のコネクタメス部及びその周辺部の断面図である。
【図１１】本発明に係る第２の実施形態の前側本体フレームに電飾用フレキシブル基板を取り付けた状態を示す斜視図である。
【図１２】本発明に係る第２の実施形態の前側本体フレームに電飾用フレキシブル基板を取り付けた状態のコネクタメス部及びその周辺部の背面側から見た斜視図である。
【図１３】本発明に係る第２の実施形態の前側本体フレームに電飾用フレキシブル基板を取り付けた状態のコネクタメス部及びその周辺部の断面図である。
【発明を実施するための形態】
【００１２】
以下、本発明の第１の実施形態について図面を参照しながら具体的に説明する。
【００１３】
図１は  遊技機の構成例を示した正面図である。
【００１４】
初めに遊技機全体の説明をする。
図１において、遊技機１は、機枠又は機体として所定の外郭方形枠サイズに構成された固定保持用の外枠１１と、この外枠１１の前側に設けられ、この外枠１１に合わせて方形枠サイズに構成された前枠１２とを備えている。
【００１５】
前枠１２は、正面左側上下部に配設された開閉連結支持機構１３ａ、１３ｂを介して外枠１１に開閉（片持ち横開き）可能に組付けるとともに、正面右側内部に配設された施錠装置１４を利用して閉鎖状態に保持される。
【００１６】
前枠１２の正面側には、前枠１２の前側面域に合わせた方形状のガラス扉１５及び受け皿ユニット１６が共に横開き開閉及び着脱が可能に組付けられており、施錠装置１４および図示しないロック機構を利用して前枠１２の前面を覆う閉止状態で保持される。
【００１７】
受け皿ユニット１６には、球払出口から払い出された遊技球を貯留して整列させる球皿部１７が設けられる。
【００１８】
前枠１２には、パチンコゲームを展開し得る遊技盤１０１が、着脱交換可能にセット保持されている。遊技盤１０１は、前面の遊技領域１０３を前記ガラス扉１５の正面に臨ませている。
【００１９】
前枠１２の前記ガラス扉１５の下方位置には、発射部２９２（図２参照）を備える操作ハンドル１１３が配置され、発射部２９２の駆動によって発射された遊技球がレール１０２ａ、１０２ｂ間を上昇して遊技盤１０１の上部位置に達した後、遊技領域１０３内を落下する。遊技領域１０３には、遊技球を不特定の方向に向けて落下させるための複数の釘に加え、遊技球の落下方向を変化させる風車や入球口が配置されている。
【００２０】
遊技領域１０３の中央部分にはセンター役物２が配置されている。センター役物２には、例えば液晶表示器（ＬＣＤ）を用いた図柄表示部１０４が配置されている。
【００２１】
図柄表示部１０４の下方には遊技球を受入れ可能な第１始動口１０５が配置され、第１始動口１０５の下方には一対の可動片１２０ａ（図３参照）を有する第２始動口１２０が配置されている。第２始動口１２０は一対の可動片１２０ａ（図３参照）が閉状態のときに遊技球の受入れを困難にし、開状態のときに第１始動口１０５よりも遊技球の受入れを容易にする。
【００２２】
図柄表示部１０４の左側には、遊技球の通過を検出し、第２始動口１２０を一定時間だけ開放させる普通図柄の抽選を行うための入賞ゲート１０６が配置されている。入賞ゲート１０６の下方位置等には、遊技球が入球したときに所定数（例えば１０個）の賞球払い出しの権利を獲得する普通入賞口１０７ａ、１０７ｂ、１０７ｃが配置されている。遊技領域１０３の最下部にはどの入球口にも入球しなかった遊技球を回収する回収口１０８が配置されている。 
【００２３】
図柄表示部１０４の右下には、遊技球が入球したときに所定数（例えば１０個）の賞球払い出しの権利を獲得する普通入賞口１０７ｄが配置されている。
【００２４】
さらに、普通入賞口１０７ｄの下には、主制御基板２０１（図２参照）に設けられた第１特別図柄抽選手段による抽選結果を表示する第１特別図柄表示器８２（図３参照）、及び主制御基板２０１（図２参照）に設けられた第２特別図柄抽選手段による抽選結果を表示する第２特別図柄表示器８３（図３参照）が配置されている。これら両表示器８２、８３には特別図柄が変動表示されていると共に、所定時間経過後に所定の図柄が停止表示され、始動口への遊技球の入球を契機とする抽選の結果が表示されている。両表示器８２、８３には複数のＬＥＤが使用され、特別図柄の変動表示の開始に伴ってＬＥＤが点滅することで、現在抽選中であるかのような印象を遊技者に与える。所定時間経過後には、抽選結果に応じて予め設定されたＬＥＤが点灯表示し、遊技者に抽選結果が報知されている。
【００２５】
特別図柄の変動表示中に第１始動口１０５、あるいは第２始動口１２０に遊技球が入球すると、当該入球によって得られる特別図柄の変動表示の権利（以下「保留球」という）が留保されている。この留保された保留球の数は第１特別図柄保留表示器８４（図３参照）及び第２特別図柄保留表示器８５（図３参照）に表示されている。
【００２６】
特別図柄の変動表示中に入賞ゲート１０６に遊技球が入球すると、普通図柄抽選手段による抽選が行われるが、この抽選結果を表示する普通図柄表示器８１（図３参照）が上記両表示器８２、８３の付近に配置されている。普通図柄の変動表示中に入賞ゲート１０６に遊技球が入球することによって得られる普通図柄の変動表示の権利、すなわち保留球の数が普通図柄保留表示器８６（図３参照）に表示されている。
【００２７】
図柄表示部１０４は第１始動口１０５、または第２始動口１２０に遊技球が入球したときに複数の装飾図柄の変動表示を開始し、所定時間経過後に当該装飾図柄の変動を停止させる。停止時に特定図柄（例えば「７７７」）が揃えば、大当たり遊技（長当たり遊技）を実行する権利を獲得したこととなり、その後、大当たり遊技（長当たり遊技）が開始される。大当たり遊技（長当たり遊技）が開始されると、遊技領域１０３の下方に位置する大入賞口ユニット９における開閉扉９１が一定時間、開放する動作を所定回数（例えば１５回）繰り返し、入球した遊技球に対応する賞球が払い出されている。
【００２８】
大入賞口ユニット９は遊技盤１０１に設けられた大入賞口９３を開閉する開閉扉９１を開閉自在に支持し、開閉扉９１が大入賞口９３の前面（表面）側に位置した状態で、遊技盤１０１の背面に設置されている。開閉扉９１は通常時には閉鎖して大入賞口９３を閉塞しており、大入賞口９３に遊技球が入球することを阻止している。大当たり遊技が開始されたときには、大入賞口開閉ソレノイド４３への通電により開閉扉９１が開放して大入賞口９３を開放させる。大入賞口９３の開放時には、開閉扉９１が遊技球を大入賞口９３内に導くための受け皿として機能するため、大入賞口９３に遊技球が入球可能となる。
【００２９】
また、前記前枠１２の上側と下側には複数のライト１１２を備えた演出ライト１１１（ランプユニット）が設置されている。
【００３０】
前枠１２の下側には、受け皿ユニット１６が設置されている他、前述の操作ハンドル１１３が配置されている。操作ハンドル１１３は遊技盤１０１から遊技者側へ突出し、上記発射部の駆動によって遊技球を発射させる際に遊技者によって操作されている。
【００３１】
操作ハンドル１１３は上記発射部を駆動させて遊技球を発射させる発射指示部材１１４を備えている。発射指示部材１１４は操作ハンドル１１３の外周部に、遊技者から見て右回りに回転可能に設けられ、遊技者によって直接操作されているときに発射部に遊技球発射の指示を与える。操作ハンドル１１３には遊技者が発射指示部材１１４を直接操作していることを検出するセンサ等が内蔵されている。 
【００３２】
センター役物２における図柄表示部１０４の上側及び側方（図１においては紙面右側）には、演出用の役物（以下、「演出役物」という）１１５、１１６が配置されている。演出役物１１５、１１６は例えばモータによって駆動されるようになっている。
【００３３】
前枠１２の下側にはまた、遊技者による操作を受け付けるチャンスボタン１１７が配置されている。チャンスボタン１１７の操作は例えば遊技中における特定のリーチ演出に際し、チャンスボタン１１７の操作を促すガイダンスが表示されている間有効となる。
【００３４】
前枠１２には、演出効果音、または不正を知らしめる音声を出力するスピーカ２７７（図２参照）が組み込まれている。スピーカ２７７は高音・中音・低音の領域を出力できる機能を有し、通常演出時は高音・中音・低音をバランス良く出力するが、後述する特別演出時、または不正等があった場合には周りに良く聞こえるように高音領域を高く出力するように制御されている。
【００３５】
（制御手段の内部構成）
図２に遊技機１の制御手段の内部構成を示すが、ここに示すように制御手段２００は主に主制御基板２０１、副制御基板２０２、賞球制御基板２０３、及びランプ制御基板２０６の複数の制御基板から構成されている。
【００３６】
主制御基板２０１は遊技機１の遊技に関する基本動作を制御し、ＲＯＭ２０１ｂに記憶されたプログラムに基づき、遊技内容の進行に伴う基本処理を実行するＣＰＵ２０１ａと、ＣＰＵ２０１ａの演算処理時におけるデータのワークエリアとして機能するＲＡＭ２０１ｃ等を備える。主制御基板２０１は第１始動口１０５、もしくは第２始動口１２０への遊技球の入球を契機として、大当たり抽選を行うと共に、その抽選結果に基づいてＲＯＭ２０１ｂに記憶されている演出に係わるコマンドの選択を行う。
【００３７】
主制御基板２０１の入力側には、第１始動口１０５に遊技球が入球したことを検出する第１始動口検出部２２１と、第２始動口１２０に遊技球が入球したことを検出する第２始動口検出部２２５と、入賞ゲート１０６を遊技球が通過したことを検出するゲート検出部２２２と、普通入賞口１０７ａ、１０７ｂ、１０７ｃに入球した遊技球を検出する普通入賞口検出部２２３と、大入賞口ユニット９に入球した遊技球を検出する大入賞口検出部２２４とが接続されている。 
【００３８】
主制御基板２０１の出力側には役物作動装置２３１が接続されている。第１の実施形態においては上記役物作動装置２３１を、開閉扉９１を開閉させる大入賞口開閉ソレノイド（駆動装置）と、第２始動口１２０を開閉させる第２始動口開閉ソレノイドとによって構成している。
【００３９】
役物作動装置２３１は主制御基板２０１によって制御され、大当たり遊技（長当たり遊技、短当たり遊技）時に大入賞口開閉ソレノイド９７に通電して開閉扉９１を開放させ、また上記普通図柄の当選によって第２始動口開閉ソレノイドに通電して第２始動口１２０を開閉する。 
【００４０】
副制御基板２０２の入力側には上記のチャンスボタン１１７が操作されたことを検出するチャンスボタン検出部２２０が接続されている。この副制御基板２０２は主に遊技中における演出を制御し、主制御基板２０１より送信されているコマンドに基づいて演出の抽選及び演出処理を実行するＣＰＵ２０２ａと、プログラム及び過去の演出パターンを記憶するＲＯＭ２０２ｂと、ＣＰＵ２０２ａの演算処理時におけるデータのワークエリアとして機能するＲＡＭ２０２ｃ等を備えている。
【００４１】
副制御基板２０２は主制御基板２０１より送信されている演出に係るコマンドを受信すると、このコマンドに基づいて抽選を行い、演出背景パターン、リーチ演出パターン、登場キャラクター等の演出を確定すると共に、当該確定した演出の制御を行う。副制御基板２０２の出力側には図柄表示部１０４が接続され、抽選によって決定された内容の通りに図柄表示部１０４において装飾図柄演出を展開する。副制御基板２０２には図柄表示部１０４に表示させる画像データを書き込むＶＲＡＭ２０２ｄも備えられている。
【００４２】
通常時には、ＣＰＵ２０２ａがＲＯＭ２０２ｂに記憶されたプログラムを読み込んで、背景画像表示処理、図柄画像表示及び変動処理、キャラクター画像表示処理など各種画像処理を実行し、必要な画像データをＲＯＭ２０２ｂから読み出してＶＲＡＭ２０２ｄに書き込む。背景画像、図柄画像、キャラクター画像は表示画面上において図柄表示部１０４に重畳表示されている。すなわち、図柄画像やキャラクター画像は背景画像よりも手前に見えるように表示されている。このとき、同一位置に背景画像と図柄画像が重なる場合、Ｚバッファ法等、周知の陰面消去法により各画像データのＺバッファのＺ値を参照することで、図柄画像を優先してＶＲＡＭ２０２ｄに記憶させる。
【００４３】
副制御基板２０２の出力側にはスピーカ２７７が接続され、副制御基板２０２において確定した通りに音声を出力する。副制御基板２０２の出力側にはまた、ランプ２６２、演出ライト１１１、及び演出役物作動装置２５４を制御するランプ制御基板２０６が接続されている。演出役物作動装置２５４は演出役物１１５，１１６等の、演出用の役物を作動させるモータ等によって構成されている。ランプ制御基板２０６は副制御基板２０２より送信されたコマンドに基づき、プログラムを作動させて演出処理を実行するＣＰＵ２０６ａと、各種演出パターンデータを記憶するＲＯＭ２０６ｂと、ＣＰＵ２０６ａの演算処理時におけるデータのワークエリアとして機能するＲＡＭ２０６ｃ等を備えている。
【００４４】
ランプ制御基板２０６は遊技盤１０１や台枠等に設けられている各種ランプ２６２に対する点灯制御等を行う他、演出ライト１１１における複数のライト１１２に対する点灯制御等を行い、各ライト１１２からの光の照射方向を変更するためにモータに対する駆動制御等を行う。ランプ制御基板２０６はまた、副制御基板２０２より送信されたコマンドに基づき、演出役物１１５、１１６を動作させる各種モータに対する駆動制御等を行う。
【００４５】
主制御基板２０１には賞球制御基板２０３が双方向に送信可能に接続されている。賞球制御基板２０３はＲＯＭ２０３ｂに記憶されたプログラムを作動させて賞球制御の処理を実行するＣＰＵ２０３ａと、ＣＰＵ２０３ａの演算処理時におけるデータのワークエリアとして機能するＲＡＭ２０３ｃ等を備え、ＲＯＭ２０３ｂに記憶されたプログラムに基づき、賞球制御を行う。
【００４６】
賞球制御基板２０３は接続されている払出部２９１に対して入球時の賞球数を払い出す制御を行う。また発射部２９２に対する遊技球の発射の操作を検出し、遊技球の発射を制御する。払出部２９１は遊技球の貯留部から所定数を払い出すためのモータ等からなる。
【００４７】
賞球制御基板２０３はこの払出部２９１に対して、各入球口（第１始動口１０５、第２始動口１２０、普通入賞口１０７ａ、１０７ｂ、１０７ｃ、１０７ｄ、大入賞口９３）に入球した遊技球に対応した賞球数を払い出す制御を行う。発射部２９２は遊技者による遊技操作を検出するセンサ（図示しない）と、遊技球を発射させる図示しないソレノイド等を備え、遊技のための遊技球を発射する。賞球制御基板２０３は発射部２９２のセンサにより遊技操作を検出すると、検出された遊技操作に対応してソレノイド等を駆動させて遊技球を間欠的に発射させ、遊技盤１０１の遊技領域１０３に遊技球を送り出す。 
【００４８】
図３及び図４は遊技盤１０１を示す正面図及び斜視図である。
【００４９】
図３及び図４において、遊技盤１０１は、合板の前面に樹脂シートを貼り付けた構造の遊技板３００にセンター役物２等の各種所物や遊技釘３０３を配置したものである。
【００５０】
遊技盤１０１の遊技領域１０３の中央には、センター役物２が設けられている。
【００５１】
センター役物２は、前記遊技領域１０３の中央に設けられ、開口部２２が形成された枠部材２１を主要構成とする前側ユニット３を有し、当該開口部２２の背面側に図柄表示部１０４が配置されている。図柄表示部１０４の開口部２２から露出する部分は、画面４００となっている。枠部材２１の表面には、金色の鍍金が施されている。
【００５２】
センター役物２の枠部材２１の上側中央の若干左寄りには、曲面部２３が設けられており、遊技領域１０３は、この曲面部２３から左右に分岐して左打ち用の遊技領域３０１と勢いが付きすぎた遊技球を減速させて回収口１０８に導く線路３０２に分けられている。
【００５３】
左打ち用の遊技領域３０１には、多数本の遊技釘３０３とともに、入賞ゲート１０６、普通入賞口１０７ａ、１０７ｂ、１０７ｃ、風車１０９、第１始動口１０５、第２始動口１２０、大入賞口ユニット９等が配置されている。
【００５４】
一方、枠部材２１の左側壁３１には、左打ち用の遊技領域３０１を落下する遊技球が付近の遊技釘３０３の誘導により比較的低い確率で突入するワープ経路３２が設けられている。
【００５５】
枠部材２１の下壁３３の正面側の上面には、ワープ経路３２を通過した遊技球が転がるステージ面３４が形成されている。ステージ面３４の中央には遊技球を第１始動口１０５に誘導する誘導孔３５の入り口３５ａ（図４参照）が設けられている。誘導孔３５の出口３５ｂは、第１始動口１０５の上方に位置する。ステージ面３４の手前には、ステージ面３４から転落した遊技球が転がるステージ面３６が形成されている。ステージ面３６の中央には、遊技球を第１始動口１０５に誘導する誘導溝３７が形成されている。
【００５６】
枠部材２１の左側壁３１、下壁３３、右側壁３８、上壁３９により囲まれる領域は、上述の開口部２２となっている。
【００５７】
遊技球は、通常の遊技状態で、曲面部２３よりも左下側に落下して左打ち用の遊技領域３０１に導かれ、遊技釘３０３や風車１０９に衝突しながら、あるものは、ワープ経路３２、ステージ面３４及び誘導孔３５を通過し第１始動口１０５に落下し、また、あるものは、ステージ面３６及び誘導溝３７を通過し第１始動口１０５に落下し、また、あるものは、ワープ経路３２を介さず直接下方に落下し、一般入賞具２０または第１始動口１０５に入賞し、また、あるものは、アウト球として回収口１０８に集合し、アウト球通路孔を通って遊技盤３の裏面側に排出される。
【００５８】
図５は図４に示した演出役物１１５の斜視図である。
【００５９】
図５において、演出役物１１５は、本体ケース５０１と、前側装飾部５０２と、上面左前側透明板５０３と、上面左後側透明板５０４と、上面右前側透明板５０５と、上面右後側透明板５０６と、左右のランプ基板５０７、５０８と、左右の駆動機構５０９、５１０と、複数の円柱５１１、５１２、５１３、５１４、５１５、５１６、５１７、５１８、５１９と、可動支持部５２１、５２２、５２３、５２４、５２５、５２６、５２７、５２８、５２９と、ハート型可動部５３１、５３２、５３３、５３４、５３５、５３６、５３７、５３８、５３９と、前側本体フレーム６０１とを備えている。
【００６０】
本体ケース５０１は、上面及び背面側に開放した形状になっている。本体ケース５０１の内部には、左右の駆動機構５０９、５１０が配置される。駆動機構５０９、５１０の前方には前側本体フレーム６０１が配置されている。前側本体フレーム６０１の上側には左右のランプ基板５０７、５０８がそれぞれ配置されている。左のランプ基板５０７の上面には発光ダイオード５４１、５４２、５４３、５４４が設けられている。右のランプ基板５０８の上面には発光ダイオード５４５、５４６、５４７、５４８、５４９が設けられている。
【００６１】
左のランプ基板５０７の上側は上面左前側透明板５０３及び上面左後側透明板５０４によって覆われる。
【００６２】
右のランプ基板５０８の上側は上面右前側透明板５０５及び上面右後側透明板５０６によって覆われる。
【００６３】
発光ダイオード５４１、５４２、５４３、５４４の真上に対応する上面左前側透明板５０３の上面の位置には、凸レンズ面５５１、５５２、５５３、５５４が形成されている。
【００６４】
発光ダイオード５４５、５４６、５４７、５４８、５４９の真上に対応する上面右前側透明板５０５の上面の位置には、凸レンズ面５５５、５５６、５５７、５５８、５５９が形成されている。
【００６５】
上面左前側透明板５０３及び上面左後側透明板５０４の間には、複数の円柱５１１、５１２、５１３、５１４とこれに対応する可動支持部５２１、５２２、５２３、５２４がそれぞれ挿入される複数の開孔部５６１、５６２、５６３、５６４が形成されている。
【００６６】
上面右前側透明板５０５及び上面右後側透明板５０６の間には、複数の円柱５１５、５１６、５１７、５１８、５１９とこれに対応する可動支持部５２５、５２６、５２７、５２８、５２９がそれぞれ挿入される複数の開孔部５６５、５６６、５６７、５６８、５６９が形成されている。
【００６７】
可動支持部５２１、５２２、５２３、５２４、５２５、５２６、５２７、５２８、５２９は、左右の駆動機構５０９、５１０による複数の複数の円柱５１１、５１２、５１３、５１４、５１５、５１６、５１７、５１８、５１９に対して摺動する。可動支持部５２１、５２２、５２３、５２４、５２５、５２６、５２７、５２８、５２９の前側上部には、ハート型可動部５３１、５３２、５３３、５３４、５３５、５３６、５３７、５３８、５３９が取り付けられている。
【００６８】
発光ダイオード５４１、５４２、５４３、５４４、５４５、５４６、５４７、５４８、５４９及び凸レンズ面５５１、５５２、５５３、５５４、５５５、５５６、５５７、５５８、５５９は、それぞれ前記ハート型可動部５３１、５３２、５３３、５３４、５３５、５３６、５３７、５３８、５３９の往復運動の移動方向の延長線上に設けられている。発光ダイオード５４１、５４２、５４３、５４４、５４５、５４６、５４７、５４８、５４９が発光した照明光は、それぞれ凸レンズ面５５１、５５２、５５３、５５４、５５５、５５６、５５７、５５８、５５９により屈折され、それぞれ前記ハート型可動部５３１、５３２、５３３、５３４、５３５、５３６、５３７、５３８、５３９の下方に導かれる。前記ハート型可動部５３１、５３２、５３３、５３４、５３５、５３６、５３７、５３８、５３９は、透明の素材で形成されている。前記ハート型可動部５３１、５３２、５３３、５３４、５３５、５３６、５３７、５３８、５３９は、下方に導かれた照明光を上下左右及び前方に拡散して出射させる。
【００６９】
図６は、演出役物１１５の前側部６００を示す分解斜視図である。図７は、電飾用フレキシブル基板７０１を展張した状態を示す平面図である。
【００７０】
図６において、演出役物１１５（図５参照）の前側部６００は、前側装飾部５０２と、上面左前側透明板５０３と、上面右前側透明板５０５と、左右のランプ基板５０７、５０８と、前側本体フレーム６０１と、電飾用フレキシブル基板７０１と、左右の基板取付部材７５１、７５２と、ネジ８０１、８０２、８０３、８０４、８０５、８０６とから構成されている。
【００７１】
電飾用フレキシブル基板７０１は、絶縁体７０２としてポリイミド膜もしくはフォトソルダーレジスト膜が用いられ、導体として銅が用いられる。電飾用フレキシブル基板７０１は、図７に示すように、一方の基板面７１０に照明光を出射する発光素子として複数のカラー発光ダイオード７１１、７１２、７１３、７１４、７１５を実装する発光素子実装部７０３を有するとともに、当該発光素子実装部７０３から延出する帯状の延出部７０４を有し、前記発光素子実装部７０３の発光素子を実装する面と同じ面上にある前記延出部７０４の一方の基板面７１０にコネクタメス部７２１を実装する。複数のカラー発光ダイオード７１１、７１２、７１３、７１４、７１５とコネクタメス部７２１は前述の導体によって電気的に接続されている。
【００７２】
図７に示おいて、発光素子実装部７０３は、横長の帯状に形成されている。発光素子実装部７０３の左右両脇には貫通孔７３１、７３２が形成されている。発光素子実装部７０３の一方の基板面７１０の左脇の貫通孔７３１より右側には、４個のカラー発光ダイオード７１１が上下左右に配列されて実装されている。発光素子実装部７０３のカラー発光ダイオード７１１の取り付け位置より右側には、横長の長孔７３３が形成されている。発光素子実装部７０３の一方の基板面７１０の長孔７３３より右側には、４個のカラー発光ダイオード７１２が上下左右に配列されて実装されている。発光素子実装部７０３の一方の基板面７１０の中央部には、４個のカラー発光ダイオード７１３が上下左右に配列されて実装されている。
【００７３】
発光素子実装部７０３の一方の基板面７１０の右脇の貫通孔７３２より左側には、４個のカラー発光ダイオード７１５が上下左右に配列されて実装されている。発光素子実装部７０３のカラー発光ダイオード７１５の取り付け位置より左側には、横長の長孔７３４が形成されている。発光素子実装部７０３の一方の基板面７１０の長孔７３４より左側には、４個のカラー発光ダイオード７１４が上下左右に配列されて実装されている。
【００７４】
発光素子実装部７０３の中央部の上側には、フレキシブル基板としての延出部７０４が上方向に延出して設けられている。発光素子実装部７０３の上辺における延出部７０４の両脇には、当該延出部７０４を湾曲した際に発光素子実装部７０３に亀裂が入るのを防止するための切欠き７３５、７３６が形成されている。延出部７０４の先端側は、一方の基板面７１０にコネクタメス部７２１を実装するコネクタ実装部７０５が形成されている。コネクタ実装部７０５の左右には、ネジ挿通孔７３７、７３８が形成されたネジ止め用延出部７０７、７０８が設けられている。コネクタ実装部７０５及びネジ止め用延出部７０７、７０８の他方の基板面側には、補強用の絶縁板７０９が接着固定されている。絶縁板７０９には、ネジ挿通孔７３７、７３８と連通するネジ挿通孔が形成されている。
【００７５】
図６に示おいて、前側本体フレーム６０１は、中央基板取付部６１１、正面左側基板取付部６１２、正面右側基板取付部６１３、上面左側基板取付部６１４、上面右側基板取付部６１５及び下側板状部６１６を一体に形成したものである。
【００７６】
中央基板取付部６１１の後側には、電飾用フレキシブル基板７０１のコネクタ実装部７０５がネジ８０１、８０２によりネジ取止め固定されるようになっている。
【００７７】
正面右側基板取付部６１２には、左の基板取付部材７５１によって電飾用フレキシブル基板７０１の発光素子実装部７０３の左側を取り付けるようになっている。
【００７８】
正面右側基板取付部６１３には、右の基板取付部材７５２によって電飾用フレキシブル基板７０１の発光素子実装部７０３の右側を取り付けるようになっている。
【００７９】
上面左側基板取付部６１４には、上面左前側透明板５０３及び左の発光素子基板５０７がネジ８０３によってネジ止めされる。
【００８０】
上面右側基板取付部６１５には、上面右前側透明板５０５及び右の発光素子基板５０８がネジ８０４によってネジ止めされる。
【００８１】
中央基板取付部６１１は、板面が正面に向く板状部６２１を有し、この板状部６２１の上辺及び左右の辺から前方に延出する上側壁部６２２及び左右の壁部６２３、６２４を設けたものである。左の壁部６２３の右面には円筒部６２５が一体で設けられている。円筒部の内側は、ネジ８０１のネジ部が螺入されるネジ孔６２７が形成されている。このネジ孔６２７は、板状部６２１の後面まで貫通して形成されている。右の壁部６２４の左面には円筒部６２６が一体で設けられている。円筒部６２６の内側は、ネジ８０２のネジ部が螺入されるネジ孔６２８が形成されている。このネジ孔６２８は、板状部６２１の後面まで貫通して形成されている。
【００８２】
正面左側基板取付部６１２は、左の壁部６２３の前端から左側に延出して設けられており、左側に向かうに従い後方に向けて湾曲している。正面左側基板取付部６１２の左端には、左の基板押さえ部材７５１が嵌合する嵌合部６３１が設けられている。
【００８３】
正面右側基板取付部６１３は、右の壁部６２４の前端から右側に延出して設けられており、右側に向かうに従い後方に向けて湾曲している。正面右側基板取付部６１３の右端には、右の基板押さえ部材７５２が嵌合する嵌合部６３２が設けられている。
【００８４】
左右の基板押さえ部材７５１、７５２の裏面側には、発光素子実装部７０３の左右の貫通孔７３１、７３２にそれぞれ挿入する突起部７５３、７５４がそれぞれ設けられている。左右の基板押さえ部材７５１、７５２は、それぞれの突起部７５３、７５４を発光素子実装部７０３の左右の貫通孔７３１、７３２にそれぞれ挿入した状態で嵌合部６３１、６３２にそれぞれ取り付けられることで、発光素子実装部７０３を正面左側基板取付部６１２及び正面右側基板取付部６１３に沿って湾曲させた状態で取り付ける。
【００８５】
正面左側基板取付部６１２及び正面右側基板取付部６１３には、それぞれネジ８０５、８０６のネジ部が挿通されるネジ挿通孔６３３、６３４が形成されている。ネジ８０５、８０６は、正面左側基板取付部６１２及び正面右側基板取付部６１３の裏側からネジ部がネジ挿通孔６３３、６３４にそれぞれ挿通され、さらにネジ部が発光素子実装部７０３の長孔７３３、７３４にそれぞれ挿通され、前側装飾部５０２の裏面に形成されたネジ孔に螺入して締め付けられることで、正面左側基板取付部６１２及び正面右側基板取付部６１３と前側装飾部５０２の間に発光素子実装部７０３を挟んだ状態で、前側本体フレーム６０１に前側装飾部５０２をネジ止め固定する。前側装飾部５０２には、発光素子実装部７０３に実装された複数のカラー発光ダイオード７１１、７１２、７１３、７１４、７１５を前側に透過させる光透過部６５１、６５２、６５３、６５４、６５５が設けられている。
【００８６】
図８は、前側本体フレーム６０１に電飾用フレキシブル基板７０１を取り付けた状態を示す斜視図、図９は、前側本体フレーム６０１に電飾用フレキシブル基板７０１を取り付けた状態のコネクタメス部７２１及びその周辺部の背面側から見た斜視図、図１０は、前側本体フレーム６０１に電飾用フレキシブル基板７０１を取り付けた状態のコネクタメス部７２１及びその周辺部の断面図である。
【００８７】
図８において、前側本体フレーム６０１に電飾用フレキシブル基板７０１のコネクタ実装部７０５を取り付ける場合、前記延出部７０４を後側に湾曲させ中央基板取付部６１１の上側壁部６２２の上側に迂回させて、図９に示すように中央基板取付部６１１の板状部６２１の後側にコネクタ実装部７０５をネジ８０１、８０２によりネジ取止め固定する。この場合、ネジ８０１、８０２は、ネジ部が前側本体フレーム６０１の後ろ側から電飾用フレキシブル基板７０１のネジ止め用延出部７０７、７０８のネジ挿通孔７３７、７３８（図７参照）に挿通し、中央基板取付部６１１のネジ孔６２７、６２８（図６参照）に螺入して締め付けられることで、中央基板取付部６１１の板状部６２１の後側にコネクタ実装部７０５をネジ止め固定している。
【００８８】
前側本体フレーム６０１に電飾用フレキシブル基板７０１を完全に取り付けた状態では、図１０に示すように、前記発光素子実装部７０３の前記複数のカラー発光ダイオード７１１、７１２、７１３、７１４、７１５（図７参照）を実装する基板面７１０に対して前記延出部７０４の前記コネクタメス部７２１を実装する基板面７１０を略逆方向に向けて前側本体フレーム６０１に配置する。
【００８９】
このような構造を纏めて説明すると、演出役物１１５は、遊技機１に設けられ演出用の照明を行う。
【００９０】
電飾用フレキシブル基板７０１は、一方の基板面７１０に照明光を出射する発光素子であるところの複数のカラー発光ダイオード７１１、７１２、７１３、７１４、７１５を実装する発光素子実装部７０３を有するとともに、当該発光素子実装部７０３から延出する延出部７０４を有し、前記発光素子実装部７０３の複数のカラー発光ダイオード７１１、７１２、７１３、７１４、７１５を実装する面と同じ面上にある前記延出部７０４の一方の基板面７１０にコネクタメス部７２１を実装する。
【００９１】
前側本体フレーム６０１は、前記延出部７０４を湾曲させ前記発光素子実装部７０３の前記複数のカラー発光ダイオード７１１、７１２、７１３、７１４、７１５を実装する基板面７１０に対して前記延出部７０４の前記コネクタメス部７２１を実装する基板面７１０を別方向となる略逆方向に向けて電飾用フレキシブル基板７０１を取り付ける演出役物本体になっている。
【００９２】
前側装飾部５０２は、前記発光素子実装部７０３を覆うとともに前記複数のカラー発光ダイオード７１１、７１２、７１３、７１４、７１５からの照明光を外側に透過させるカバー部材になっている。
【００９３】
このような発明の第１の実施形態によれば、前側本体フレーム６０１には、電飾用フレキシブル基板７０１の前記延出部７０４を湾曲させ前記発光素子実装部７０３の前記複数のカラー発光ダイオード７１１、７１２、７１３、７１４、７１５を実装する基板面７１０に対して前記延出部７０４の前記コネクタメス部７２１を実装する基板面７１０を略逆方向に向けて電飾用フレキシブル基板７０１を取り付けているので、演出役物１１５の複数のカラー発光ダイオード７１１、７１２、７１３、７１４、７１５により発光する部分のデザイン上の自由度の向上と演出役物１１５のコンパクト化を両立させるとともに、演出役物１１５の内部で電飾用フレキシブル基板７０１のコネクタメス部７２１と接続するハーネスを配索させる量を減らすことができ、演出役物１１５の組み立ての際の作業性を向上することができる。また、第１の実施形態では、複数のカラー発光ダイオード７１１、７１２、７１３、７１４、７１５とコネクタメス部７２１を同一の基板面７１０に実装しているので、カラー発光ダイオード７１１、７１２、７１３、７１４、７１５とコネクタメス部７２１とを別の基板面に設ける場合より実装作業が容易であり、作業工数及び部品数も少なくなる。また、第１の実施形態では、コネクタメス部７２１を電飾用フレキシブル基板７０１に直接実装することで、電飾用フレキシブル基板にハーネスを直接接続する製造方法に比べて作業工数及び部品数を少なくしている。
【００９４】
尚、前側装飾部５０２に設けられる光透過部６５１、６５２、６５３、６５４、６５５は、透明でも半透明でもよい。
【００９５】
以下、本発明の第２の実施形態について説明する。
【００９６】
図１１は、本発明に係る第２の実施形態の前側本体フレーム９０１に電飾用フレキシブル基板９５１を取り付けた状態を示す斜視図、図１２は、本発明に係る第２の実施形態の前側本体フレーム９０１に電飾用フレキシブル基板９５１を取り付けた状態のコネクタメス部９７１及びその周辺部の背面側から見た斜視図、図１３は、本発明に係る第２の実施形態の前側本体フレーム９０１に電飾用フレキシブル基板９５１を取り付けた状態のコネクタメス部９７１及びその周辺部の断面図である。尚、図１１乃至図１３において、図６乃至図１０に示す第２の実施形態と同様の構成要素には同じ符合を付して説明を省略している。
【００９７】
図１１において、演出役物の前側部の前側本体フレーム９０１には、中央部９１０、中央上側基板取付部９１１、正面左側基板取付部６１２、正面右側基板取付部６１３、上面左側基板取付部６１４、上面右側基板取付部６１５及び下側板状部９１６を一体に形成したものである。
【００９８】
中央部９１０は、正面左側基板取付部６１２と正面右側基板取付部６１３の間に設けられる。
【００９９】
中央上側基板取付部９１１は、上面左側基板取付部６１４と上面右側基板取付部６１５の間に設けられる。中央上側基板取付部９１１の手前には、電飾用フレキシブル基板９５１の後述の延出部９５４を挿通するための切欠部９１７が設けられている。
【０１００】
図１２において、中央上側基板取付部９１１は、ネジ８０１、８０２のネジ部が下側から螺入されるネジ孔９２７、９２８が形成されている。
【０１０１】
中央上側基板取付部９１１の下面には、電飾用フレキシブル基板９５１のコネクタ実装部９５５がネジ８０１、８０２によりネジ取止め固定されている。
【０１０２】
下側板状部９１６には、貫通部９１８が形成されている。貫通部９１８には、フレキシブル基板９５１の後述のコネクタメス部９７１に接続するコネクタオス部及びこれに接続するハーネスが挿通するようになっている。
【０１０３】
図１１において、電飾用フレキシブル基板９５１は、絶縁体９５２としてポリイミド膜もしくはフォトソルダーレジスト膜が用いられ、導体として銅が用いられる。電飾用フレキシブル基板９５１は、一方の基板面９６０に照明光を出射する発光素子として複数のカラー発光ダイオード７１１、７１２、７１３、７１４、７１５を実装する発光素子実装部７０３を有するとともに、当該発光素子実装部７０３から延出する帯状の延出部９５４を有している。
【０１０４】
また、電飾用フレキシブル基板９５１は、図１３に示すように、発光素子実装部７０３の発光素子を実装する面と逆の面上にある延出部９５４の基板面９６１にコネクタメス部９７１を実装する。図１１に示す複数のカラー発光ダイオード７１１、７１２、７１３、７１４、７１５と図１３に示すコネクタメス部９７１は前述の導体によって電気的に接続されている。
【０１０５】
以下、延出部９５４についてより詳細に説明する。
【０１０６】
図１３において、延出部９５４の先端側は、他方の基板面９６１にコネクタメス部９７１を実装するコネクタ実装部９５５が形成されている。図１２において、コネクタ実装部９５５の左右には、ネジ挿通孔９８７、９８８が形成されたネジ止め用延出部９５７、９５８が設けられている。コネクタ実装部９５５及びネジ止め用延出部９５７、９５８の一方の基板面９６０側には、補強用の絶縁板９５９が接着固定されている。絶縁板９５９には、ネジ挿通孔９８７、９８８と連通するネジ挿通孔が形成されている。
【０１０７】
演出役物の前側部の前側本体フレーム９０１に電飾用フレキシブル基板９５１のコネクタ実装部９５５を取り付ける場合、前記延出部９５４を後側に湾曲させ中央上側基板取付部９１１の下側に移動させて、図１２に示すように中央上側基板取付部９１１の下面にコネクタ実装部９５５をネジ８０１、８０２によりネジ取止め固定する。この場合、ネジ８０１、８０２は、ネジ部が前側本体フレーム９０１の下側から電飾用フレキシブル基板９５１のネジ止め用延出部９５７、９５８のネジ挿通孔９８７、９８８に挿通し、中央上側基板取付部９１１のネジ孔９２７、９２８に螺入して締め付けられることで、中央上側基板取付部９１１の下面にコネクタ実装部９５５をネジ止め固定している。
【０１０８】
前側本体フレーム９０１に電飾用フレキシブル基板９５１を完全に取り付けた状態では、図１３に示すように、前記発光素子実装部７０３の前記複数のカラー発光ダイオード７１１、７１２、７１３、７１４、７１５（図１１参照）を実装する基板面９６０に対して前記延出部９５４の前記コネクタメス部９７１を実装する基板面９６１を別方向となる略垂直下方向に向けて前側本体フレーム９０１に配置する。
【０１０９】
このような発明の第２の実施形態によれば、前側本体フレーム９０１には、電飾用フレキシブル基板９５１の前記延出部９５４を湾曲させ前記発光素子実装部７０３の前記複数のカラー発光ダイオード７１１、７１２、７１３、７１４、７１５を実装する基板面９６０に対して前記延出部９５４の前記コネクタメス部９７１を実装する基板面９６１を略垂直の下方向に向けて電飾用フレキシブル基板９５１を取り付けているので、電飾用フレキシブル基板９５１の前記延出部９５４を上側に延出してから前記コネクタメス部９７１を下方に向ける構造において、演出役物の複数のカラー発光ダイオード７１１、７１２、７１３、７１４、７１５により発光する部分のデザイン上の自由度の向上と演出役物のコンパクト化を両立させるとともに、演出役物１１５の内部で電飾用フレキシブル基板９５１のコネクタメス部９７１と接続するハーネスを配索させる量を減らすことができ、演出役物の組み立ての際の作業性を向上することができる。
【０１１０】
また、第２の実施形態では、複数のカラー発光ダイオード７１１、７１２、７１３、７１４、７１５とコネクタメス部９７１を別の基板面に実装しているので、カラー発光ダイオード７１１、７１２、７１３、７１４、７１５とコネクタメス部を同じ基板面に設ける場合より実装作業が複雑になり、作業工数及び部品数が増大することになるが、第２の実施形態のように電飾用フレキシブル基板９５１の前記延出部９５４を上側に延出してから前記コネクタメス部９７１を下方に向ける構造では、延出部９５４の長さを短くすると共に、前側本体フレーム９０１に電飾用フレキシブル基板９５１に取り付ける際に作業性が向上する。
【符号の説明】
【０１１１】
１……遊技機、２……センター役物、１５……ガラス扉、２１……枠部材、
１０１……遊技盤、１１５……演出役物、３００……遊技板、
５０１……本体ケース、５０２……前側装飾部、
５０９、５１０……駆動機構、
５１１、５１２、５１３、５１４……円柱、
５１５、５１６、５１７、５１８、５１９……円柱、
５２１、５２２、５２３、５２４……可動支持部、
５２５、５２６、５２７、５２８、５２９……可動支持部、
５３１、５３２、５３３、５３４……ハート型可動部、
５３５、５３６、５３７、５３８、５３９……ハート型可動部、
５３１、５３２、５３３、５３４……ハート型可動部、
５３５、５３６、５３７、５３８、５３９……ハート型可動部、
５４１、５４２、５４３、５４４……発光ダイオード、
５４５、５４６、５４７、５４８、５４９……発光ダイオード、
５５１、５５２、５５３、５５４……凸レンズ面、
５５５、５５６、５５７、５５８、５５９……凸レンズ面、
６０１、９０１……前側本体フレーム、
７０１、９５１……電飾用フレキシブル基板、
７０２……発光素子実装部、７０４、９５４……延出部、
７１０、９６０、９６１……基板面、
７１１、７１２、７１３、７１４、７１５……カラー発光ダイオード、
７２１、９７１……コネクタメス部、
【図１】
2010259708.tif 000003
【図２】
2010259708.tif 000004
【図３】
2010259708.tif 000005
【図４】
2010259708.tif 000006
【図５】
2010259708.tif 000007
【図６】
2010259708.tif 000008
【図７】
2010259708.tif 000009
【図８】
2010259708.tif 000010
【図９】
2010259708.tif 000011
【図１０】
2010259708.tif 000012
【図１１】
2010259708.tif 000013
【図１２】
2010259708.tif 000014
【図１３】
2010259708.tif 000015